(57)【特許請求の範囲】
【請求項１】
操作されるとエレベーター扉の戸開閉動作シーケンスを制御する制御信号を出力する第１および第２の戸開閉操作ボタンを有し、
前記第１あるいは第２の戸開閉操作ボタンが単独で操作されると戸開動作シーケンスを制御する制御信号が出力され、
前記第１と第２の戸開閉操作ボタンが同時に操作されると戸閉動作シーケンスを制御する制御信号が出力される
エレベーターのかご操作盤。
【請求項２】
前記第１の戸開閉操作ボタンと前記第２の戸開閉操作ボタンは大きさが異なる
請求項１に記載のエレベーターのかご操作盤。
【請求項３】
かご操作盤に設けられたエレベーター扉の戸開閉動作シーケンスを制御する制御信号を出力するための第１および第２の戸開閉制御ボタンのいずれかが操作されたか否かを判定するステップと、
前記第１および第２の戸開閉制御ボタンのいずれかが操作されたと判定された場合に、エレベーター扉の戸開動作シーケンスを開始するステップと、
前記かご操作盤に設けられたエレベーター扉の戸開閉動作シーケンスを制御する制御信号を出力するための前記第１および第２の戸開閉制御ボタンが同時に操作されたか否かを判定するステップと、
前記第１および第２の戸開閉制御ボタンが同時に操作されたと判定された場合に、エレベーター扉の戸閉動作シーケンスを開始するステップと
を備えたエレベーター戸開閉制御方法。
【発明の詳細な説明】
【技術分野】
【０００１】
本発明はエレベーターのかご操作盤およびエレベーター戸開閉制御方法に関するものである。
【背景技術】
【０００２】
従来、エレベーターの戸開閉装置として、戸を開くための戸開ボタンと、戸を閉めるための戸閉ボタンの２種類のボタンが、かご内の操作盤に設置されている。これらは通常、どちらか一方のボタンのみを単独で操作することにより、戸を開いたり閉じたりする。
【０００３】
これらのボタンは区別を容易にするため、戸開ボタンと戸閉ボタンの大きさが異なるものや形状が異なるものが提案されている（例えば特許文献１参照）。また、十文字形やシーソースイッチなど押しやすさを考慮したものも提案されている（例えば特許文献２参照）。
【先行技術文献】
【特許文献】
【０００４】
【特許文献１】特開平８−２５９１２８号公報
【特許文献２】特開平８−７３１４５号公報
【発明の概要】
【発明が解決しようとする課題】
【０００５】
戸開ボタンは、かごに乗降する乗客のために、戸を開く場合に主に操作される。一方、戸閉ボタンは、早く戸を閉めて出発したい場合に主に操作される。特に閉まりかけている戸を開くときには急いで戸開ボタンを押そうとするのが一般的である。
【０００６】
このとき、「開」「閉」の表示の区別や、ボタンの大きさ、また、ボタンの配置などによって戸開ボタンと戸閉ボタンを判別しようとするが、一瞬で視認し、瞬間的に操作しようとするため、咄嗟にボタンを押そうとすると、誤って反対のボタンを操作してしまうボタンの押し間違いが発生することは、多いに予想できる。
【０００７】
この発明は、かかる問題点を解決するためになされたもので、戸開操作と戸閉操作のボタンの押し間違いを防止するかご操作盤およびエレベーター戸開閉制御方法を得ることを目的としている。
【課題を解決するための手段】
【０００８】
本発明は、操作されるとエレベーター扉の戸開閉動作シーケンスを制御する制御信号を出力する第１および第２の戸開閉操作ボタンを有し、前記第１あるいは第２の戸開閉操作ボタンが単独で操作されると戸開動作シーケンスを制御する制御信号が出力され、前記第１と第２の戸開閉操作ボタンが同時に操作されると戸閉動作シーケンスを制御する制御信号が出力されるエレベーターのかご操作盤である。
【発明の効果】
【０００９】
本発明は、操作されるとエレベーター扉の戸開閉動作シーケンスを制御する制御信号を出力する第１および第２の戸開閉操作ボタンを有し、前記第１あるいは第２の戸開閉操作ボタンが単独で操作されると戸開動作シーケンスを制御する制御信号が出力され、前記第１と第２の戸開閉操作ボタンが同時に操作されると戸閉動作シーケンスを制御する制御信号が出力されるエレベーターのかご操作盤であるため、戸開時には戸開閉制御ボタンが押釦され、戸閉時には戸開閉制御ボタンと戸開閉制御アシストボタンとが同時に押釦されるので、戸開と戸閉の操作方法が異なるため、従来のようにそれぞれ単独で操作される戸開ボタンと戸閉ボタンとが並んで配置されていた場合に比べ、戸開操作と戸閉操作を誤る可能性を抑制でき、戸開操作と戸閉操作のボタンの押し間違いを防止することができる。
【図面の簡単な説明】
【００１０】
【図１】本発明の実施の形態１におけるかご操作盤を示す部分拡大図である。
【図２】本発明の実施の形態１の動作を示したフローチャートである。
【図３】本発明の実施の形態１におけるかご操作盤が設けられたエレベーターのかご内の様子を示した図である。
【発明を実施するための形態】
【００１１】
実施の形態１．
図１は、本発明の実施の形態１におけるかご操作盤を示す部分拡大図である。図２は、本発明の実施の形態１の動作を示したフローチャートである。図３は、本発明の実施の形態１におけるかご操作盤が設けられたエレベーターのかご内の様子を示した図である。
【００１２】
図３に示すように、かご１０内のエレベーター扉６近傍に、かご操作盤１が設けられている。かご操作盤１には、図１に示すように、操作されるとエレベーター扉の戸開閉動作シーケンスを制御する制御信号を出力する第１の戸開閉操作ボタンとしてのドア制御用ボタン２と、同じく操作されるとエレベーター扉の戸開閉動作シーケンスを制御する制御信号を出力する第２の戸開閉操作ボタンとしての戸閉用アシストボタン３と、ドア制御用ボタン２と戸閉用アシストボタン３とを同時に操作すると戸を閉めることができることをエレベーター利用者に知らせるためのメッセージ（操作説明）を表示した名板４とが設けられている。なお、ここで、「ボタンが操作される」とは、「ボタンを押す」ことを意味するものであって、そのときの「押す」とは、少なくとも、ある所定の時間の間、例えば、１秒前後の時間、「押す」ことを意味するものである。また、「戸開動作シーケンス」とは、エレベータ扉が戸開動作を開始して全開位置に至るまでの一連の動作を意味し、「戸閉動作シーケンス」とは、エレベータ扉が戸閉動作を開始して全閉位置に至るまでの一連の動作を意味する。また、「戸開閉動作シーケンス」とは、「戸開動作シーケンス」及び「戸閉動作シーケンス」の両方または一方を意味する。
【００１３】
なお、図１の部分拡大図においては図示を省略しているが、かご操作盤１には、さらに、図３に示すように、行先階をエレベーター利用者が登録するための、各停止階に対応して設けられた複数の登録ボタンからなる、かご呼びボタン５が設けられている。なお、図３の例では、ドア制御用ボタン２および戸閉用アシストボタン３が、かご呼びボタン５の上側に配置されているが、その場合に限らず、ドア制御用ボタン２および戸閉用アシストボタン３が、かご呼びボタン５の下側に配置されていてもよい。
【００１４】
また、図３に模式的に示すように、かご１０の上部には、エレベーター扉６の開閉動作の制御を行うエレベーター扉制御装置７が設けられている。エレベーター扉制御装置７は、昇降路上部に設けられてエレベーターの運行動作全般を制御するエレベーター制御装置（エレベーター制御盤）（図示せず）からの信号、および、ドア制御用ボタン２および戸閉用アシストボタン３からの信号に基づいて、エレベーター扉６の開閉動作の制御を行うものである。
【００１５】
ドア制御用ボタン２は、単独で操作されると戸開動作シーケンスを制御する制御信号を出力し、戸閉用アシストボタン３と同時に操作されると戸閉動作シーケンスを制御する制御信号を出力する。ドア制御用ボタン２は、図１に示すように、かご操作盤１において、水平方向における中央位置に近い場所に配置されている。また、ドア制御用ボタン２のサイズは、図１および図３に示すように、戸閉用アシストボタン３及びかご呼びボタン５よりも、大きくなっている。また、ドア制御用ボタン２の表面には、「ひらく」の文字と「しまる」の文字とが、併記されている。ドア制御用ボタン２は、戸を「開く」操作と戸を「閉める」操作との両方に用いるため、「ひらく」、「しめる」といった、ドア制御用ボタン２をエレベーター利用者が操作したときの戸の動作を表す文字が、ボタン表面にわかりやすく併記されており、特に、戸開操作を示す「ひらく」の文字は「しめる」と比較して大きく表記される。また、ドア制御用ボタン２の「ひらく」を目立たせるために、「しまる」の文字が記載されている場所を含むその近傍は、図１に示すように、異なる色になっている。なお、「しまる」の部分の色は、戸閉用アシストボタン３と同じ色にすることが望ましい。戸開操作は、このドア制御用ボタン２のみを押下することで操作する。戸開操作は急いで操作される場合が多いので、ドア制御用ボタン２を、目立つように大きめのボタンとし、かご操作盤１の中央に近い場所に配置することで、とっさの場合でも押し間違える可能性を少なくする構成となっている。
【００１６】
戸閉用アシストボタン３は、ドア制御用ボタン２と同時に押されると、戸閉動作シーケンスを制御する制御信号を出力するボタンである。そのため、戸閉用アシストボタン３には、「しめる」などの戸を閉める動作を表す文字が表記されている。また、ドア制御用ボタン２を目立たせるために、戸閉用アシストボタン３のサイズは、ドア制御用ボタン２より小さくなるように形成されている。また、戸閉用アシストボタン３の色は、ドア制御用ボタン２の「ひらく」の部分を目立たせるように、異なる色となっている。例えば、ドア制御用ボタン２の「ひらく」の部分を目立つ明るい色にし、ドア制御用ボタン２の「しまる」の部分および戸閉用アシストボタン３をそれより暗い色にする。また、戸閉用アシストボタン３はドア制御用ボタン２と同時に押釦されるため、同時にこれら２つのボタンを押釦する場合、多くの場合には、親指と、人指し指から小指までのいずれか１つとで、操作されると想定されるため、ボタンを押しやすいように、図１に示すように、ドア制御用ボタン２と戸閉用アシストボタン３とを斜めに配置する。具体的には、ドア制御用ボタン２の中心の位置と戸閉用アシストボタン３の中心の位置とが水平方向に並ばずに、それらが水平方向に少しずれた位置になるように、斜めの位置に配置する。なお、右手で操作する場合が多いと想定されるため、右手の親指で操作すると想定される左側の戸閉用アシストボタン３の中心位置が、人指し指等の他の指で操作すると想定される右側のドア制御用ボタン２の中心位置よりも、少し低い位置になるように斜めに配置することが望ましい。なお、図１では、戸閉用アシストボタン３が、ドア制御用ボタン２の左側に配置されているが、この場合に限らず、戸閉用アシストボタン３を、ドア制御用ボタン２の右側に配置してもよい。その場合には、親指で操作すると想定される左側のドア制御用ボタン２の中心位置が、人指し指等の他の指で操作すると想定される右側の戸閉用アシストボタン３の中心位置よりも、少し低い位置になるように斜めに配置すればよい。
【００１７】
名板４は、プラスチック（樹脂）などから構成された板状の部材で、エレベーター操作盤１に貼り付けられている。あるいは、エレベーター操作盤１のカバーと一体成型されている。名板４は、表面に、「同時に押すとしまります」等のエレベーター利用者に操作方法を伝えるメッセージ（操作説明）が記載されており、かつ、具体的にどのボタンとどのボタンを同時に押せばよいかを示すための矢印が記載されている。当該矢印は、図１に示すように、ドア制御用ボタン２と戸閉用アシストボタン３とを指している。なお、名板４は、プラスチック板に限らず、液晶画面等の電気的な表示装置から構成してもよい。また、名板４に表示する内容は、これに限定されるものではなく、ドア制御用ボタン２と戸閉用アシストボタン３とを同時に押せばエレベーター扉６が閉まることをエレベーター利用者に伝えることができる内容であれば、任意の内容でよい。
【００１８】
本実施の形態１にかかるかご操作盤１は、上記のように構成され、エレベーター利用者は、戸開操作したい場合は、ドア制御用ボタン２のみを押すことで操作する。エレベーター利用者は、戸開操作するときは、このように、かご操作盤１の中央に近い場所に配置され、かつ、目立つように大きめのボタンで構成されたドア制御用ボタン２を押すだけでよいので、急いで操作しなければならないような咄嗟の場合でも、ボタンを押し間違える可能性が少ない。なお、ドア制御用ボタン２が押下されると、かご操作盤１は、エレベーター扉制御装置７に、ドア制御用ボタン２が押された旨を示す信号を送信する。
【００１９】
一方、戸閉操作したい場合は、エレベーター利用者は、ドア制御用ボタン２と戸閉用アシストボタン３とを同時に押す。同時に押釦しない限りは、戸閉操作は行えない。このように、本実施の形態１においては、戸開操作方法と戸閉操作方法が異なるため、従来のようにエレベーター利用者が戸開ボタンと戸閉ボタンを視覚的に区別してどちらを押すべきか瞬時に判断するという思考過程を省くことができる。したがって、エレベーター利用者が戸開操作と戸閉操作を間違える可能性を抑制することができる。特に、戸開操作と比較して、戸閉操作の方が、ボタンを２つ同時に押す必要があり、操作が複雑であるので、戸開したい場合に誤って戸閉操作をする可能性を少なくすることができる。なお、ドア制御用ボタン２と戸閉用アシストボタン３が押下されると、かご操作盤１は、エレベーター扉制御装置７に、ドア制御用ボタン２と戸閉用アシストボタン３とが押された旨を示す制御信号を送信する。
【００２０】
なお、本実施の形態１においては、戸閉用アシストボタン３のみが押された場合には、戸開動作シーケンスを制御する制御信号が出力され、戸は開くように制御される。したがって、戸開したい場合に誤って戸閉用アシストボタン３のみを操作してしまった場合でも、戸は開くため、かごに乗降する利用者をエレベーター扉６で挟んでしまうリスクを軽減できる。なお、戸閉用アシストボタン３が押下されると、かご操作盤１は、エレベーター扉制御装置７に、戸閉用アシストボタン３が押された旨を示す制御信号を送信する。
【００２１】
次に、図２を用いて、本発明の実施の形態１におけるエレベーター戸開閉制御方法を説明する。図２の処理は、エレベーター扉制御装置７が、かご操作盤１から制御信号を受信したときに、当該受信信号に基づいて行う処理である。
【００２２】
エレベーター扉制御装置７は、まず、ステップＳ１で、ドア制御用ボタン２のみが押されたか否かについて判定する。ドア制御用ボタン２のみが押されたと判定、すなわち、「戸開操作」と判定した場合は、ステップＳ２に進む。一方、そうでないと判定した場合には、ステップＳ３に進む。
【００２３】
ステップＳ２では、エレベーター扉制御装置７は、エレベーター扉６の戸開動作シーケンスを開始し、戸開動作を行う。
【００２４】
ステップＳ３では、エレベーター扉制御装置７は、戸閉用アシストボタン３のみが押されたか否かについて判定する。戸閉用アシストボタン３のみが押されたと判定した場合は、ステップＳ２に進み、エレベーター扉６の戸開動作シーケンスを開始し、戸開動作を行う。一方、そうでないと判定した場合には、ステップＳ４に進む。
【００２５】
ステップＳ４では、エレベーター扉制御装置７は、ドア制御用ボタン２と戸閉用アシストボタン３とが同時押されたか否かについて判定する。ドア制御用ボタン２と戸閉用アシストボタン３とが同時に押されたと判定、すなわち、「戸閉操作」と判定した場合には、ステップＳ５に進む。一方、そうでないと判定された場合は、そのまま、処理を終了する。
【００２６】
ステップＳ５では、エレベーター扉制御装置７は、エレベーター扉６の戸閉動作シーケンスを開始し、戸閉動作を行う。
【００２７】
以上のように、本実施の形態に係るエレベーターのかご操作盤は、操作されるとエレベーター扉の戸開閉動作シーケンスを制御する制御信号を出力する第１の戸開閉操作ボタンとしてのドア制御用ボタン２と第２の戸開閉操作ボタンとしての戸閉用アシストボタン３とを有し、ドア制御用ボタン２または戸閉用アシストボタン３が単独で操作されると戸開動作シーケンスを制御する制御信号が出力され、ドア制御用ボタン２および戸閉用アシストボタン３が同時に操作されると戸閉動作シーケンスを制御する制御信号が出力される。このように、本実施の形態１では、戸開と戸閉の操作方法が異なるため、従来のように戸開ボタンと戸閉ボタンを一瞬で視認し瞬間的に操作する必要がなく、それに伴うボタンの押し間違いの発生を抑制することができる。
【００２８】
本実施の形態においては、戸閉用アシストボタン３のみを押釦した場合にも、戸が開く構成としたので、戸開したい場合に誤って戸閉用アシストボタン３のみを操作してしまった場合でも、戸は開くため、かごに乗降するエレベーター利用者にエレベーター扉６がぶつかること等を防止することができる。
【００２９】
なお、補足ながら、かご操作盤１に、さらに、エレベーター利用者に対する音声メッセージを発するための発声装置（スピーカー）を設けるようにしてもよい。その場合には、音声メッセージにより、ドア制御用ボタン２および戸閉用アシストボタン３の操作方法を、エレベーター利用者に知らせるようにしてもよい（音声メッセージ例：「「ひらく」ボタンを押すと扉が開きます。扉を閉める場合には、「しめる」ボタンを２つ同時に押して下さい。」）。
【００３０】
また、本実施の形態１に係るエレベーター戸開閉制御方法は、かご操作盤１に設けられたエレベーター扉の戸開閉動作シーケンスを制御する制御信号を出力するための第１および第２の戸開閉制御ボタンとしてのドア制御用ボタン２および戸閉用アシストボタン３のいずれかが操作されたか否かを判定するステップ（ステップＳ１，Ｓ３）と、ドア制御用ボタン２および戸閉用アシストボタン３のいずれかが操作されたと判定された場合に、エレベーター扉の戸開動作シーケンスを開始するステップ（ステップＳ２）と、ドア制御用ボタン２および戸閉用アシストボタン３が同時に操作されたか否かを判定するステップ（ステップＳ４）と、ドア制御用ボタン２および戸閉用アシストボタン３が同時に操作されたと判定された場合に、エレベーター扉の戸閉動作シーケンスを開始するステップ（ステップＳ５）とを備えているため、戸開と戸閉では操作が異なり、それを判定して、戸開動作シーケンスまたは戸閉動作シーケンスを開始するようにしたので、従来のように利用者が戸開ボタンと戸閉ボタンを一瞬で視認し瞬間的に操作する必要がなく、それに伴うボタンの押し間違いの発生を抑制することができ、利用者が閉まりかけたエレベーター扉にぶつかることを防止することができる。
【００３１】
なお、上記の説明においては、図２のフローチャートに示すステップＳ１〜Ｓ５の処理をエレベーター扉制御装置７が行うとして説明したが、その場合に限らず、かご操作盤１が、図２のフローチャートのステップＳ１〜Ｓ５の処理を行うようにしてもよい。但し、その場合には、ステップＳ１〜Ｓ５における「エレベーター扉制御装置７は」との記載がすべて「かご操作盤１は」と読みかえられ、さらに、ステップＳ２の処理が、「ステップＳ２では、かご操作盤１は、戸開動作を行うように、エレベーター扉制御装置７に対して戸開指令信号を出力する。」と読みかえられ、ステップＳ５の処理が、「ステップＳ５では、かご操作盤１は、戸閉動作を行うように、エレベーター扉制御装置７に対して戸閉指令信号を出力する。」と読み替えられる。
【符号の説明】
【００３２】
１  かご操作盤、２  ドア制御用ボタン、３  戸閉用アシストボタン、４  名板、５  かご呼びボタン、６  エレベーター扉、７  エレベーター扉制御装置、１０  かご。
【図１】
0006008800.tif 000002
【図２】
0006008800.tif 000003
【図３】
0006008800.tif 000004